(57)【要約】【課題】複数の外部接続機器の一部の外部機器に不具合があっても、他の外部機器との通信に影響を与えないようにすること。【解決手段】外部機器３，４，５に接続されたケーブル６１，６２，６３が挿入されるレセプタクル６１Ｄ，６２Ｄ，６３Ｄと、外部機器３，４，５とＣＥＣ規格の通信を行うＣＰＵ１６と、ケーブル６１，６２，６３内のＣＥＣ制御ライン６１Ａ，６２Ａ，６３ＡとＣＰＵ１６とをワイヤードＯＲによって接続するためのＣＥＣ制御ライン６１Ｃ，６２Ｃ，６３Ｃと、ＣＥＣ制御ライン６１Ｃ，６２Ｃ，６３Ｃ上に設けられ、ケーブル６１，６２，６３内のＣＥＣ制御ライン６１Ａ，６２Ａ，６３ＡとＣＰＵ１６との電気的接続のオン／オフを独立に切り替える為の複数のスイッチＳＷ＿０〜ＳＷ＿２と、各スイッチのオン／オフを独立に切り替える為のＣＰＵ１６とを具備する。【選択図】    図２
2009246461.tif 000002
【特許請求の範囲】
【請求項１】
少なくとも第１のデータ通信を行う外部機器に接続された前記第１のデータ通信を行うための第１信号線と第２のデータ通信を行うための第２信号線とを有するケーブルがそれぞれ接続可能な複数のポートと、
前記複数のポートの何れかのポートに接続されたケーブルを介して、前記第２のデータ通信を行うことが可能な前記外部機器と前記第２のデータ通信を行う通信部と、
前記各ポートに接続される前記ケーブル内の前記第２信号線と前記通信部とをワイヤードＯＲによって接続するための通信ラインと、
前記通信ライン上に設けられ、前記各ポートに接続される前記ケーブル内の前記第２信号線と前記通信部との電気的接続のオン／オフを独立に切り替える為の複数のスイッチと、
前記各スイッチのオン／オフを独立に切り替える為の制御部とを具備することを特徴とする電子機器。
【請求項２】
前記制御部は、前記各スイッチをオフにした後、前記複数のスイッチを順次オンにしつつ、前記オンにしたスイッチに対応するポートに前記ケーブルを介して接続されている外部機器との前記第２のデータ通信に通信不良が発生するか否かを判別し、通信不良が発生すると判断した外部機器が前記ケーブルを介して接続されているポートに対応するスイッチをオフにすることを特徴とする請求項１に記載の電子機器。
【請求項３】
前記制御部は、前記各スイッチのオン／オフを設定するための設定画面を表示し、ユーザが前記設定画面を用いて入力した前記各スイッチのオン／オフの設定を検出し、検出された設定に応じて前記各スイッチのオン／オフを切り替えることを特徴とする請求項１に記載の電子機器。
【請求項４】
前記外部機器から前記電子機器に映像信号が伝送され、
前記映像信号に応じた映像を表示するための表示部を更に具備することを特徴とする請求項１に記載の電子機器。
【請求項５】
前記第１のデータ通信はＨＤＭＩ規格に基づいてなされ、前記第２のデータ通信はＨＤＭＩ規格のＣＥＣ規格に基づいてなされることを特徴とする請求項１に記載の電子機器。
【請求項６】
第１のデータ通信および第２のデータ通信に対応する電子機器の制御方法であって、
前記電子機器は、少なくとも第１のデータ通信を行う外部機器に接続された前記第１のデータ通信を行うための第１信号線と第２のデータ通信を行うための第２信号線とを有するケーブルがそれぞれ接続可能な複数のポートと、前記複数のポートの何れかのポートに接続されたケーブルを介して、前記第２のデータ通信を行うことが可能な前記外部機器と前記第２のデータ通信を行う通信部と、前記各ポートに接続される前記ケーブル内の前記第２信号線と前記通信部とをワイヤードＯＲによって接続するための通信ラインと、前記通信ライン上に設けられ、前記各ポートに接続される前記ケーブル内の前記第２信号線と前記通信部との電気的接続のオン／オフを独立に切り替える為の複数のスイッチとを具備し、
前記制御方法は、前記ケーブルおよび当該ケーブルが接続されているポートを介して接続されている外部機器との第２のデータ通信に通信不良が発生するか否かを判別し、
前記第２のデータ通信に通信不良が発生すると判断した場合に、前記第２のデータ通信に通信不良が発生する外部機器が前記ケーブルを介して接続されているポートに対応するスイッチをオフにすることを特徴とする電子機器の制御方法。
【請求項７】
第１のデータ通信および第２のデータ通信に対応する電子機器の制御方法であって、
前記電子機器は、少なくとも第１のデータ通信を行う外部機器に接続された前記第１のデータ通信を行うための第１信号線と第２のデータ通信を行うための第２信号線とを有するケーブルがそれぞれ接続可能な複数のポートと、前記複数のポートの何れかのポートに接続されたケーブルを介して、前記第２のデータ通信を行うことが可能な前記外部機器と前記第２のデータ通信を行う通信部と、前記各ポートに接続される前記ケーブル内の前記第２信号線と前記通信部とをワイヤードＯＲによって接続するための通信ラインと、前記通信ライン上に設けられ、前記各ポートに接続される前記ケーブル内の前記第２信号線と前記通信部との電気的接続のオン／オフを独立に切り替える為の複数のスイッチとを具備し、
前記制御方法は、前記各スイッチのオン／オフを設定するための設定画面を表示装置に表示し、
ユーザが前記設定画面を用いて入力した前記各スイッチのオン／オフの設定を検出し、
検出された設定に応じて前記各スイッチのオン／オフを切り替えることを特徴とする電子機器の制御方法。
【発明の詳細な説明】
【技術分野】
【０００１】
本発明は、電子機器および電子機器の制御方法に関する。
【背景技術】
【０００２】
現在、テレビと録画装置との間の映像信号および音声信号の伝達にＨＤＭＩ（Ｈｉｇｈ−Ｄｅｆｉｎｉｔｉｏｎ Ｍｕｌｔｉｍｅｄｉａ Ｉｎｔｅｒｆａｃｅ）規格が用いられつつある。
【０００３】
ＨＤＭＩ規格では、オプションとして、ＣＥＣ（Ｃｏｎｓｕｍｅｒ Ｅｌｅｃｔｒｏｎｉｃｓ Ｃｏｎｔｒｏｌ）規格（非特許文献１参照）が定義されている（非特許文献１）。ＣＥＣ規格は、ＨＤＭＩ端子にある１本の端子（ＣＥＣ端子）を介して、ＨＤＭＩ接続機器の制御を相互に行うことができるシリアル通信プロトコルである。
【非特許文献１】「Ｈｉｇｈ−Ｄｅｆｉｎｉｔｉｏｎ Ｍｕｌｔｉｍｅｄｉａ Ｉｎｔｅｒｆａｃｅ Ｓｐｅｃｉｆｉｃａｔｉｏｎ Ｖｅｒｓｉｏｎ １．３ａ」 Ｈｉｔａｃｈｉ，Ｌｔｄ．／Ｍａｔｓｕｓｈｉｔａ Ｅｌｅｃｔｒｉｃ Ｉｎｄｕｓｔｒｉａｌ Ｃｏ．，Ｌｔｄ．／Ｐｈｉｌｉｐｓ Ｃｏｎｓｕｍｅｒ Ｅｌｅｃｔｒｏｎｉｃｓ，Ｉｎｔｅｒｎａｔｉｏｎａｌ Ｂ．Ｖ．／Ｓｉｌｉｃｏｎ Ｉｍａｇｅ，Ｉｎｃ．／Ｓｏｎｙ Ｃｏｒｐｏｒａｔｉｏｎ／Ｔｈｏｍｓｏｎ Ｉｎｃ．／Ｔｏｓｈｉｂａ Ｃｏｒｐｏｒａｔｉｏｎ Ｎｏｖｅｍｂｅｒ １０，２００６
【発明の開示】
【発明が解決しようとする課題】
【０００４】
ソース機器とシンク機器との間でＣＥＣコマンドを伝送するＣＥＣラインは、ワイヤードＯＲでソースのマイコンと接続される。この接続の場合、システムを構成するＨＤＭＩ機器のどれか一つの機器でもＣＥＣラインに異常が発生した場合、システムに接続されている全ての機器において、相互制御機能が動作しなくなる。
【０００５】
本発明の目的は、複数の外部接続機器の一部の外部機器に不具合があっても、他の外部機器との通信に影響を与えない電子機器、および電子機器の制御方法を提供することにある。
【課題を解決するための手段】
【０００６】
本発明の一例に係わる電子機器は、少なくとも第１のデータ通信を行う外部機器に接続された前記第１のデータ通信を行うための第１信号線と第２のデータ通信を行うための第２信号線とを有するケーブルがそれぞれ接続可能な複数のポートと、前記複数のポートの何れかのポートに接続されたケーブルを介して、前記第２のデータ通信を行うことが可能な前記外部機器と前記第２のデータ通信を行う通信部と、前記各ポートに接続される前記ケーブル内の前記第２信号線と前記通信回路とをワイヤードＯＲによって接続するための通信ラインと、前記通信ライン上に設けられ、前記各ポートに接続される前記ケーブル内の前記第２信号線と前記通信回路との電気的接続のオン／オフを独立に切り替える為の複数のスイッチと、前記各スイッチのオン／オフを独立に切り替える為の制御部とを具備することを特徴とする。
【発明の効果】
【０００７】
本発明によれば、複数の外部接続機器の一部の外部機器に不具合があっても、他の外部機器との通信に影響を与えない。
【発明を実施するための最良の形態】
【０００８】
本発明の実施の形態を以下に図面を参照して説明する。
【０００９】
（第１の実施の形態）
図１は、本発明の第１の実施形態に係わるＨＤＭＩ（High-Definition Multimedia Interface）システムを示す概略図である。
【００１０】
ＨＤＭＩシステム１００は、アンテナから地上デジタル放送波を受信し復調して表示、または外部入力から映像信号を受信して表示する電子機器であるテレビ１と、ＨＤ ＤＶＤ（High-Definition Digital Versatile Disc）やＤＶＤ等のメディアを再生するＤＶＤプレーヤ３と、ＢＳ（Broadcast Satellite）やＣＳ（Communication Satellite）等の衛星放送を受信して復調するチューナとしてのセットトップボックス４と、放送および外部入力からの映像信号を記録し、記録したコンテンツを外部に出力可能なＨＤＤ（Hard Disc Drive）レコーダ５とを有し、それぞれを図示するようにＨＤＭＩケーブル６１，６２，６３で接続することで構成される。リモコン１Ｂは、テレビ１を操作する専用リモコンであるが、ＨＤＭＩケーブル６１，６２，６３を介して他の電子機器に命令信号を送信して操作することも可能である。
【００１１】
テレビ１は、ＨＤＭＩケーブル６１，６２，６３で接続された各電子機器との接続を、テレビ１の電源投入時に確認するほか、通常動作中に定期的に確認する。接続確認の情報の送受信はＨＤＭＩケーブル６１，６２，６３のＣＥＣ制御ラインを用いて行う。
【００１２】
図２は、本発明の第１の実施形態に係わるＨＤＭＩシステムの構成を示すブロック図である。  
図２に示すように、テレビ１は、ＨＤＭＩ端子の第１レセプタクル６１Ｄ、第２レセプタクル６２Ｄおよび第３レセプタクル６３Ｄを有する。ＨＤＭＩケーブル６１の一端のプラグがテレビ１の第１レセプタクル６１Ｄに挿入され、ＨＤＭＩケーブル６１の他端のプラグがＤＶＤプレーヤ３のレセプタクル３１に挿入されている。ＨＤＭＩケーブル６２の一端のプラグがテレビ１の第２レセプタクル６２Ｄに挿入され、ＨＤＭＩケーブル６２の他端のプラグがセットトップボックス４のレセプタクル４１に挿入されている。ＨＤＭＩケーブル６３の一端のプラグがテレビ１の第３レセプタクル６３Ｄに挿入され、ＨＤＭＩケーブル６３の他端のプラグがＨＤＤレコーダのレセプタクル５１に挿入されている。
【００１３】
また、テレビ１は、アンテナ１Ａを介して地上デジタル放送波を受信する。また、セットトップボックス４は、アンテナ４Ａを介してＢＳおよびＣＳの放送波を受信する。ＨＤＤレコーダ５は、アンテナ５Ａを介して地上デジタル放送波を受信する。
【００１４】
ＨＤＭＩケーブル６１，６２，６３は、ＣＥＣ（Consumer Electronics Control）制御ライン６１Ａ，６２Ａ，６３ＡとＨＤＭＩライン６１Ｂ，６２Ｂ，６３Ｂとを有する。ＣＥＣ制御ライン６１Ａ，６３Ａは、テレビ１内のＣＥＣ制御ライン６１Ｃ，６３Ｃを介して各電子機器のＣＰＵ１６、３６、４６、および５６の間をシリアルに接続する。ＨＤＭＩライン６１Ｂ，６２Ｂ，６３Ｂは、映像信号および音声信号を伝送するように各電子機器の間でそれぞれ接続される。
【００１５】
テレビ１内のＣＥＣ制御ライン６１Ｃ，６２Ｃ，６３Ｃの一端は、各レセプタクル６１Ｄ，６２Ｄ，６３ＤにワイヤードＯＲ接続されており、逆側の端部はＣＰＵ１６に接続されている。ＣＥＣ制御ライン６１Ｃ，６２Ｃ，６３Ｃには、各レセプタクル６１Ｄ，６２Ｄ，６３ＤとＣＰＵ１６との電気的接続のオン／オフを独立に切り替える為のスイッチＳＷ＿１〜ＳＷ＿３がそれぞれ挿入されている。スイッチＳＷ＿１〜ＳＷ＿３のＯＮ／ＯＦＦは、ＣＰＵ１６によって切り替えられる。
【００１６】
図３は、本発明の第１の実施の形態に係わるテレビの構成を示すブロック図である。  
テレビ１は、アンテナ１Ａを介して地上デジタルテレビ放送波（放送信号）を受信し、放送波を復調して番組信号を出力するチューナ１０と、チューナ１０の出力を映像データ、音声データ、字幕データ等の種別に分別して処理する信号処理部１１と、信号処理部１１の映像データおよび字幕データの出力をデコードする映像処理部１２Ａと、映像処理部１２Ａの出力を表示用の映像信号に変換して出力する表示処理部１３Ａと、表示処理部１３Ａの出力をＬＣＤ（Liquid Crystal Display）に表示する表示部１４Ａと、信号処理部１１の音声データの出力をデコードする音声処理部１２Ｂと、音声処理部１２Ｂの出力を音声信号に変換して出力する音声出力処理部１３Ｂと、音声出力処理部１３Ｂの出力を音声に変換するスピーカ１４Ｂと、ＨＤＭＩケーブル６１，６２，６３のＨＤＭＩライン６１Ｂ、６２Ｂ、６３Ｂを介して外部から映像データおよび音声データを受信するＨＤＭＩ受信部１５と、ＨＤＭＩケーブル６１，６２，６３のＣＥＣ制御ライン６１Ｃ，６２Ｃ，６３Ｃを介して外部からＣＥＣ制御データを送受信しテレビ１の各部を制御するＣＰＵ（Central Processing Unit）１６と、ＣＰＵ１６が処理するデータを一時的に記憶するＲＡＭ（RandomAccess Memory）１７と、ファームウエア等のデータを不揮発に記録するＲＯＭ（Read Only Memory）１８と、複数のスイッチ等からなり、それらの入力に基づいてテレビ１を操作する操作部１９と、リモコン１Ｂから赤外線信号を用いて送信される命令を受信する受光部２０とを有する。各部は、バス２１によって相互に接続される。
【００１７】
なお、ＨＤＭＩケーブル６１，６２，６３は、図示しないレセプタクルに接続されＨＤＭＩのインターフェースを介してＨＤＭＩ受信部１５およびＣＰＵ１６にそれぞれ接続される。
【００１８】
ところで、図２に示す、セットトップボックス４は、映像信号および音声信号の伝送に対応しているが、ＣＥＣ規格に非対応であり、ＣＥＣ制御ライン６２ＡとＣＰＵ４６とは接続されていない。ところで、ＣＥＣ規格に非対応な機器の中にはＣＥＣ制御ライン６２Ａをグランド（ＧＮＤ）に接続してしまうものがある。ＨＤＭＩ制御ライン６２Ａがグランドに接続されていると、テレビ１−ＤＶＤプレーヤ３間、テレビ１−ＨＤＤレコーダ５間でＣＥＣコマンドの伝送を行うことが出来なくなってしまう。また、接続されている外部機器内のＣＥＣ制御ラインに異常が起こった場合にも、ＣＥＣ制御ラインが正常な外部機器との間でＣＥＣコマンドの伝送を行うことが出来なくなってしまう。
【００１９】
本テレビで１は、セットトップボックス４がＣＥＣ制御ライン６２Ａをグランドに接続してしまったり、ＣＥＣ制御ラインに異常が生じたりしてＣＥＣコマンドの伝送に不具合が生じても、他の機器３，５との間で確実に通信が行えるようにしている。
【００２０】
具体的には、セットトップボックス４がＣＥＣ制御ライン６２Ａをグランドに接続する場合、ＣＥＣ制御ライン６２Ａと電気的に接続するＣＥＣ制御ライン６２Ｃに挿入されているＳＷ＿１を自動的にＯＦＦにする。
【００２１】
（不具合ＣＥＣ制御ライン自動検出／遮断処理）
ＣＥＣ制御ラインをグランドに接続してしまう機器を検出し、検出された機器のＣＥＣ制御ラインを自動的に遮断する方法について図４のフローチャートを参照して説明する。  
先ず、ＣＰＵ１６は、全てのスイッチＳＷ＿０〜ＳＷ＿２をＯＦＦにする（ステップＳ１１）。次に、スイッチを指定するための番号Ｎに０にする（ステップＳ１２）。次に、スイッチＳＷ＿ＮをＯＮにする（ステップＳ１３）。次に、ＣＰＵ１６からＣＥＣ制御ライン６１Ｃ，６２Ｃ，６３ＣにＨｉを出力した状態で、比較器２０がＣＥＣ制御ライン６１Ｃ，６２Ｃ，６３Ｃの電圧がＣＥＣの電気仕様の範囲内であるか判定し、判定結果をＣＰＵ１６に出力する（ステップＳ１４）。Ｈｉを出力する場合の出力電圧は、ＣＥＣの電気仕様で２．５〜３．６３Ｖに規定されている。従って、比較器２０は、測定電圧が２．５〜３．６３Ｖの範囲であるか否かを判別する。
【００２２】
ＣＰＵ１６は、比較器２０の判別結果から、ＣＥＣ制御ライン６１Ｃ，６２Ｃ，６３Ｃの電圧が規定の電圧であるか否かを判別する（ステップＳ１５）。規定電圧内で無いと判断した場合（ステップＳ１５のＮＯ）、スイッチＳＷ＿Ｎを介して接続されている機器がＣＥＣ制御ラインをグランドに接続していると判断できるので、ＣＰＵ１６は、スイッチＳＷ＿ＮをＯＦＦにする（ステップＳ１７）。
【００２３】
規定電圧内であると判断した場合（ステップＳ１５のＹＥＳ）、或いはスイッチＳＷ＿ＮをＯＦＦにした（ステップＳ１７）後、ＣＰＵ１６は、Ｎの値を＋１インクリメントする（ステップＳ１６）。新たなＮの値がスイッチのＮｏ．数（本実施形態の場合は２）より大きいか否かを判別する（ステップＳ１８）。
【００２４】
スイッチのＮｏ．数より大きくないと判断した場合（ステップＳ１８のＮＯ）、ＣＰＵ１６は、ステップＳ１３からの処理を順次実行する。スイッチのＮｏ．数より大きいと判断した場合（ステップＳ１８のＹＥＳ）、処理を終了する。
【００２５】
以上の処理で、ＣＥＣ制御ライン６１Ｃ，６２Ｃ，６３Ｃに挿入されたスイッチＳＷ＿１〜ＳＷ＿３ＯＮ／ＯＦＦを順次切り替えて、ＣＥＣコマンドの通信に問題が発生するか否かを判別するためにＣＥＣ制御ライン６１Ｃ，６２Ｃ，６３Ｃに問題がないか検査し、検査終了後問題のあった制御ライン６１Ｃ，６２Ｃ，６３ＣとＣＰＵ１６間の電気的接続を切り替えるためのスイッチをＯＦＦにすることによって、問題がある外部機器が接続されているポートを遮断し、正常な機器が接続されているＣＥＣ制御ラインを介して、ＣＥＣコマンドの送受信を行うことが出来る。
【００２６】
（マニュアル遮断処理）
また、ＣＰＵ１６が図５に示すようなメニューを表示し、ユーザーが任意にメニュー上からＣＥＣライン上のスイッチのＯＮ／ＯＦＦを選択できるようにしても良い。ユーザは、リモコン１Ｂが入力操作すると、リモコン１Ｂの操作を入力操作部２０が検出し、検出結果をＣＰＵ１６に出力する。ＣＰＵ１６は、ユーザの入力操作に応じて、メニューの表示を変化させると共に、スイッチＳＷ＿０〜ＳＷ＿２のＯＮ／ＯＦＦを切り替える。
【００２７】
（定期的な不具合ＣＥＣ制御ライン自動検出／遮断処理）
また、電源オン後に、ＣＥＣ制御ライン６１Ｃ，６２Ｃ，６３Ｃの電圧が規定の電圧になっているかどうか定期的に検査することによって、ＣＥＣ制御ライン６１Ｃ，６２Ｃ，６３Ｃの異常の有無を検出し、問題が有れば図４のフローチャートを参照して説明した処理を実行して、問題がある外部機器が接続されているＣＥＣ制御ラインを遮断するようにしても良い。
【００２８】
上述した“不具合ＣＥＣ制御ライン自動検出／遮断処理”、“マニュアル遮断処理”、“定期的な不具合ＣＥＣ制御ライン自動検出／遮断処理”を組み合わせても良い。組み合わせた場合、ＣＥＣ制御ライン６１Ｃ，６２Ｃ，６３Ｃ上のスイッチＳＷ＿０〜ＳＷ＿２のＯＮ／ＯＦＦ設定は、時間的にもっとも後に実施した方法の設定が優先される。
【００２９】
以上実施例で述べたようなＴＶは、ＨＤＭＩ規格のＣＥＣ制御ラインに不具合を抱えたＨＤＭＩソース機器の接続により、ＴＶに接続されているＨＤＭＩ  ＣＥＣ機能を有する全てのＨＤＭＩソース機器との相互制御機能が不能になってしまう問題を回避することができる。
【００３０】
上述した実施形態では、電子機器としてシンク機器であるテレビの例を挙げたが、電子機器がＤＶＤプレーヤ、セットトップボックス、ＤＶＤレコーダ等のソース機器、或いはＨＤＭＩセレクタであっても良い。
【００３１】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００３２】
【図１】本発明の一実施形態に係わるＨＤＭＩシステムを示す概略図である。
【図２】本発明の一実施形態に係わるＨＤＭＩシステムの構成を示すブロック図。
【図３】本発明の一実施形態に係わるテレビの構成を示すブロック図。
【図４】本発明の一実施形態に係わる不具合なＣＥＣ制御ラインを検出して、検出されたＣＥＣ制御ラインを遮断する処理の手順を示すフローチャート。
【図５】ユーザが手動でスイッチのＯＮ／ＯＦＦを切り替えるための表示画面を示す図。
【符号の説明】
【００３３】
１…テレビ、１６…ＣＰＵ、６１〜６３…ＨＤＭＩケーブル、６１Ａ〜６３Ａ…ＣＥＣ制御ライン、６１Ｃ〜６３Ｃ…ＣＥＣ制御ライン、２０…比較器。
【図１】
2009246461.tif 000003
【図２】
2009246461.tif 000004
【図３】
2009246461.tif 000005
【図４】
2009246461.tif 000006
【図５】
2009246461.tif 000007
【手続補正書】
【提出日】平成21年8月14日(2009.8.14)
【手続補正１】
【補正対象書類名】特許請求の範囲
【補正対象項目名】全文
【補正方法】変更
【補正の内容】
【特許請求の範囲】
【請求項１】
少なくともＨＤＭＩ規格に基づいて映像信号及び音声信号の少なくともいずれか一方を伝送するための第１のデータ通信を行う外部機器に接続された前記第１のデータ通信を行うための第１信号線と前記ＨＤＭＩ規格のＣＥＣ規格に基づいてなされる第２のデータ通信を行うための第２信号線とを有するケーブルがそれぞれ接続可能な複数のポートと、
前記複数のポートの何れかのポートに接続されたケーブルを介して、前記第２のデータ通信を行うことが可能な前記外部機器と前記第２のデータ通信を行う通信部と、
前記各ポートに接続される前記ケーブル内の前記第２信号線と前記通信部とをワイヤードＯＲによって接続するための通信ラインと、
前記通信ライン上に設けられ、前記各ポートに接続される前記ケーブル内の前記第２信号線と前記通信部との電気的接続のオン／オフを独立に切り替える為の複数のスイッチと、
前記各スイッチのオン／オフを独立に切り替える為の制御部とを具備することを特徴とする電子機器。
【請求項２】
前記制御部は、前記各スイッチをオフにした後、前記複数のスイッチを順次オンにしつつ、前記オンにしたスイッチに対応するポートに前記ケーブルを介して接続されている外部機器との前記第２のデータ通信に通信不良が発生するか否かを判別し、通信不良が発生すると判断した外部機器が前記ケーブルを介して接続されているポートに対応するスイッチをオフにすることを特徴とする請求項１に記載の電子機器。
【請求項３】
前記制御部は、前記各スイッチのオン／オフを設定するための設定画面を表示し、ユーザが前記設定画面を用いて入力した前記各スイッチのオン／オフの設定を検出し、検出された設定に応じて前記各スイッチのオン／オフを切り替えることを特徴とする請求項１に記載の電子機器。
【請求項４】
前記映像信号に応じた映像を表示するための表示部を更に具備することを特徴とする請求項１に記載の電子機器。
【請求項５】
ＨＤＭＩ規格に基づいた少なくとも映像信号および音声信号の一方が伝送される第１信号線および前記ＨＤＭＩ規格のＣＥＣ規格に基づいたコマンドが伝送される第２信号線を有するケーブルが接続可能なポートが複数設けられている電子機器の制御方法であって、
前記ポートを介して接続される外部機器との前記第２信号線によるデータ通信に通信不良が発生するか否かを判別し、
前記第２信号線によるデータ通信に通信不良が発生すると判別された場合に、前記第２信号線によるデータ通信を前記第１信号線によるデータ通信とは独立にオフすることを特徴とする電子機器の制御方法。
【請求項６】
前記外部機器と前記コマンドの伝送を行う通信部とワイヤードＯＲ接続された複数の制御ラインのそれぞれに挿入された複数のスイッチのオン／オフを独立に切り替えることで、前記第２信号線によるデータ通信を前記第１信号線によるデータ通信と独立にオフすることを特徴とする請求項５に記載の電子機器の制御方法。
【請求項７】
ＨＤＭＩ規格に基づいた少なくとも映像信号および音声信号の一方が伝送される第１信号線および前記ＨＤＭＩ規格のＣＥＣ規格に基づいたコマンドが伝送される第２信号線を有するケーブルが接続可能なポートが複数設けられている電子機器の制御方法であって、
前記ポート毎に設けられ、ケーブルに設けられた前記第２信号線に接続されると共に、当該ケーブルを介して外部機器と前記コマンドの伝送を行う通信部とワイヤードＯＲ接続された複数の制御ラインのそれぞれに挿入された複数のスイッチのオン／オフをそれぞれ設定するための設定画面を表示装置に表示し、
ユーザが前記設定画面を用いて入力した前記各スイッチのオン／オフの設定を検出し、
検出された設定に応じて前記各スイッチのオン／オフを切り替えることを特徴とする電子機器の制御方法。
【手続補正２】
【補正対象書類名】明細書
【補正対象項目名】０００６
【補正方法】変更
【補正の内容】
【０００６】
本発明の一例に係わる電子機器は、少なくともＨＤＭＩ規格に基づいて映像信号及び音声信号の少なくともいずれか一方を伝送するための第１のデータ通信を行う外部機器に接続された前記第１のデータ通信を行うための第１信号線と前記ＨＤＭＩ規格のＣＥＣ規格に基づいてなされる第２のデータ通信を行うための第２信号線とを有するケーブルがそれぞれ接続可能な複数のポートと、前記複数のポートの何れかのポートに接続されたケーブルを介して、前記第２のデータ通信を行うことが可能な前記外部機器と前記第２のデータ通信を行う通信部と、前記各ポートに接続される前記ケーブル内の前記第２信号線と前記通信部とをワイヤードＯＲによって接続するための通信ラインと、前記通信ライン上に設けられ、前記各ポートに接続される前記ケーブル内の前記第２信号線と前記通信部との電気的接続のオン／オフを独立に切り替える為の複数のスイッチと、前記各スイッチのオン／オフを独立に切り替える為の制御部とを具備することを特徴とする。